(57)【特許請求の範囲】
【請求項１】
二つの受具と、
当該両受具にそれぞれ別個に固定される第一及び第二の各連結体と、
両連結体を連結する連結部材と、
からなる受具の連結構造であって、
前記受具は、その側壁外面に第一及び第二の各連結体を固定するための係止部と押圧面とを備え、
前記第一及び第二の各連結体は、
連結される二つの受具側壁の前記各係止部に係合する係合部と、
当該係合部の係止部への係合により受具の側壁に対し固定されるように、先端が前記押圧面を押圧するネジが螺通される螺孔と、を備え、
前記連結部材は、前記二つの受具に固定された両連結体同士が該受具の膨張・収縮に伴って相対的にスライド可能に両連結体を連結するものであり、
一方の連結体には、該一方の連結体が固定された一方の受具の側壁と、他方の連結体が固定された他方の受具の側壁とが整合された状態で前記スライドが可能となるように、該他方の受具の側壁外面に当接する当接手段を備えていることを特徴とする受具の連結構造。
【請求項２】
当接手段は、
一方の連結体の内側に配設されたスプリング等の付勢手段、
又は、受具側壁を押圧することなく受具側壁に当接する長さのビスから構成されていることを特徴とする請求項１に記載の受具の連結構造。
【請求項３】
受具に固定される第一及び第二の各連結体と、
両連結体を連結する連結部材と
からなる受具の連結具であって、
前記受具は、その側壁外面に第一及び第二の各連結体を固定するための係止部と押圧面とを有するものであり、
前記第一及び第二の各連結体は、
連結される二つの受具の係止部に係合する係合部と、
当該係合部の受具に対する係合状態を維持すべく、受具の押圧面を押圧するためのネジが螺通される螺孔と、を備え、
前記連結部材は、前記二つの受具に固定された両連結体同士が該受具の膨張・収縮に伴って相対的にスライド可能に両連結体を連結するものであり、
前記一方の連結体には、二つの受具の側壁同士が、整合された状態で前記スライドが可能となるように、受具の側壁外面に当接する当接手段を備えていることを特徴とする受具の連結具。
【請求項４】
連結部材は、ネジ又はボルトと、当該ネジ又はボルトと螺合される袋ナットとを用いて第一及び第二の各連結体の少なくとも一方に取り付けられるものであり、
前記ネジ又はボルトの長さは、袋ナットの内頂部に当接することで締め付け量が制限され、両連結体をスライド可能に連結することを特徴とする請求項３に記載の受具の連結具。
【請求項５】
二つの受具と、
当該両受具にそれぞれ別個に固定される第一及び第二の各連結体と、
当該両連結体を相対的にスライド可能に連結する連結部材と、
を使用する受具の連結方法であって、
前記受具には、その側壁外面に第一及び第二の各連結体を固定するための係止部と押圧面とを設け、
前記第一及び第二の各連結体には、
連結される二つの受具側壁の前記各係止部に係合する係合部と、
当該係合部の係止部への係合により受具の側壁に対し固定されるように、先端が前記押圧面を押圧するネジが螺通される螺孔と、を設け、
前記二つの受具を、それぞれ別個に第一及び第二の各連結体と固定して、
前記一方の連結体には、該一方の連結体が固定された一方の側壁と、他方の連結体が固定された他方の側壁とが、常に整合された状態で前記スライドが可能となるように、該他方の側壁外面に当接する当接手段を設け、
前記連結部材によって、前記二つの受具に固定された両連結体同士が該受具の膨張・収縮に伴って相対的にスライド可能に両連結体を連結することを特徴とする受具の連結方法。
【発明の詳細な説明】
【０００１】
【発明の属する技術分野】
本発明は、温度変化により膨張・収縮を生じる部材の端部同士の連結に好適な連結構造及び連結方法に関するものであり、特に、配線・配管材用の長尺状の受具同士を連結する際に使用する受具の連結具、受具の連結構造及び受具の連結方法に関するものである。
【０００２】
【従来の技術】
従来、配線・配管材用受具の連結においては、図７及び図８に示すように、端部に透孔が設けられた二つの受具の端部に対し、該透孔に対応する連結孔の一方が長孔となるように設けられた連結板を、ボルト・ナットで締め付けて連結することにより、温度変化に伴う該受具の膨張・収縮が吸収されるよう該受具同士を連結していた。
【０００３】
【発明が解決しようとする課題】
しかし、上記のような従来の受具の端部に孔を開けるのは面倒である。とりわけ、前記受具を現場において切断して使用された場合、当該現場での「透孔」の穿設は極めて面倒である。
【０００４】
また、ボルト・ナットによる連結では、ボルト軸と透孔とのクリアランスによりガタつきが生じ、かかるガタつきは上記スライドを妨げ、破損の原因となり危険である。
【０００５】
そこで、出願人は、特開平１０−３０４５２９号において、上記透孔の穿設が不要で、前記クリアランスによるガタつきをなくして、円滑なスライドができる連結構造を提案している。
【０００６】
しかし、かかる構造にあっては、受具が連結具から抜け外れないようにする別体の連結部材が不可欠であったため、やはり、作業には手間がかかり、また連結部材を取付け忘れた場合には、連結状態が不安定となるおそれがあった。
【０００７】
そこで、本発明は、受具への孔開けが不要で、ガタつくことなく円滑なスライドにより受具における「膨張・収縮」に自在に対応し、かつ、特開平１０−３０４５２９号における発明に必要な連結部材のような別部材を用意する必要がなく、作業性にすぐれた受具の連結構造及び受具の連結方法を提供することを目的とする。
【０００８】
本発明は、受具に透孔を設ける必要が無く、簡易な構造でありながら、正確にしかも円滑かつ確実に受具の膨張・収縮に対応することができる受具の連結具、受具の連結構造及び受具の連結方法を提供することを目的とする。
【０００９】
即ち、本発明は、温度変化に伴う受具の膨張・収縮が吸収されるよう該受具同士を正確にしかも簡単かつ確実に連結することができる受具の連結具、受具の連結構造及び受具の連結方法を提供することを目的とする。
【００１０】
【課題を解決するための手段】
上記課題を解決するため、請求項１に係る発明は、二つの受具Ａ，Ｂと、当該両受具にそれぞれ別個に固定される第一及び第二の各連結体１１，１２と、両連結体を連結する連結部材２０とからなる受具の連結構造であって、前記受具Ａ，Ｂは、その側壁外面に第一及び第二の各連結体１１，１２を固定するための係止部と押圧面とを備え、前記第一及び第二の各連結体１１，１２は、連結される二つの受具側壁の前記各係止部に係合する係合部３０と、当該係合部３０の係止部への係合により受具の側壁に対し固定されるように、先端が前記押圧面を押圧するネジが螺通される螺孔４０とを備え、前記連結部材２０は、前記二つの受具に固定された両連結体同士が該受具の「膨張」又は「収縮」に伴って相対的にスライド可能に両連結体を連結するものであり、一方の連結体には、該一方の連結体が固定された一方の受具の側壁と、他方の連結体が固定された他方の受具の側壁とが整合された状態で前記スライドが可能となるように、該他方の受具の側壁外面に当接する当接手段５０を備えていることを特徴とする受具の連結構造である。
【００１１】
この請求項１記載の発明に係る連結構造は、二つの受具（以下、「受具Ａ」及び「受具Ｂ」とする）にそれぞれ連結体１１，１２を設け、これら二つの連結体１１，１２を連結部材２０によって相互に連結するすることにより、「受具Ａ」及び「受具Ｂ」をスライド自在に連結するものである。
【００１２】
それぞれの受具Ａ，Ｂの側壁には、第一及び第二の各連結体１１，１２を固定可能な「係止部」と「押圧面」とを形成する。一方、前記第一及び第二の各連結体１１，１２には前記係止部に係合可能な「係合部３０」を形成するとともに、押圧ネジ４１を螺通させるための「螺孔４０」を形成する。
【００１３】
受具Ａの係止部に第一の連結体１１に係る係合部３０を係合させ、一方、受具Ｂの係止部に第二の連結体１２に係る係合部３０を係合させる。尚かつ、各連結体１１，１２の螺孔４０に押圧ネジ４１を螺挿して、当該押圧ネジ４１を前記受具の押圧面に押圧させ又は螺着させることによって固定する。そして、これら受具にそれぞれ固定された各連結体を連結部材２０にて相互に連結するのである。
【００１４】
このとき、一方の連結体１１に固定された「受具Ａ」の「端面」は、他方の連結体１２の内側において接合されるものとしてもよい。即ち、当該「受具Ａ」の側壁に形成された係止部は、前記「他方の連結体１２」の内側に形成された係合部３０に係合するのである。
【００１５】
そして、前記「他方の連結体１２」は「当接手段５０」を備えているため、当該当接手段５０が前記「受具Ａ」の側壁に形成された押圧面を押圧することとなり、受具Ａと受具Ｂとの連結角度を０度に近づけることが可能となる。即ち、二つの受具Ａ，Ｂの側壁が整合されることとなるのである。
【００１６】
そのため、前記受具Ａの係止部と他方の連結体１２の係合部３０との摩擦を低減させることとなるため、「一方の受具Ｂに固定された連結体１２」と「他方の受具Ａ」とのスライドをスムースに行うことが可能とするとともに、強固且つ確実に連結することが可能となるのである。
【００１７】
請求項２に記載に係る発明は、前記の「当接手段５０」は、一方の連結体１２の内側に配設されたスプリング等の付勢手段、又は、受具側壁を押圧することなく受具側壁に当接する長さのビス５１から構成されていることを特徴とする請求項１に記載の受具の連結構造である。
【００１８】
そのため、この請求項２に係る発明の受具の連結構造によれば、簡易な構造にも拘わらず、請求項１における「受具Ａの係止部と連結体１２の係合部３０との摩擦」を、さらに確実に低減させることを可能とするのである。
【００１９】
さらに、本発明においては、上記請求項１に記載の発明と同様に、受具Ａと、受具Ｂに固定された連結体とのスライドを、スムースに行うことを可能とするとともに、強固且つ確実に連結することが可能となるのである。
【００２０】
請求項３に記載に係る発明は、受具に固定される第一及び第二の各連結体１１，１２と、両連結体１１，１２を連結する連結部材２０とからなる受具の連結具１００であって、前記受具は、その側壁外面に第一及び第二の各連結体１１，１２を固定するための係止部と押圧面とを有するものであり、前記第一及び第二の各連結体１１，１２は、連結される二つの受具の係止部に係合する係合部３０と、当該係合部３０の受具に対する係合状態を維持すべく、受具の押圧面を押圧するためのネジが螺通される螺孔４０と、を備え、前記連結部材２０は、前記二つの受具に固定された両連結体同士が該受具の膨張・収縮に伴って相対的にスライド可能に両連結体を連結するものであり、前記一方の連結体には、二つの受具の側壁同士が、整合された状態で前記スライドが可能となるように、受具の側壁外面に当接する当接手段５０を備えていることを特徴とする受具の連結具１００である。
【００２１】
この請求項３記載の発明に係る連結具１００は、二つの受具（「受具Ａ」及び「受具Ｂ」）をスライド自在に連結するものであって、第一及び第二の各連結体１１，１２とこれら両連結体１１，１２を連結する部材とを備えるものであり、前記第一及び第二の各連結体１１，１２には、受具側面の係止部等の形状に対応させた係合部３０が形成されている。また、前記第一及び第二の各連結体１１，１２には、それぞれ螺孔４０が形成されている。即ち、連結体１１，１２に形成された係合部３０が受具の側壁に係合することとなり、その係合を維持した状態で、前記螺孔４０に押圧ネジ４１を螺挿して、当該押圧ネジ４１が受具の側面を押圧することにより、前記第一及び第二の各連結体１１，１２を、各々受具に固定することとなるのである。
【００２２】
これら受具にそれぞれ固定された第一及び第二の各連結体１１，１２を、連結部材２０で相互に連結する。このとき、一方の受具Ａの「端面」は、他方の受具Ｂに固定された連結体１２の内側において接合される。即ち、当該「受具Ａ」の側壁に形成された係止部は、前記「他方の連結体１２」の内側に形成された係合部３０に係合することとなるのである。それに加えて、前記「他方の連結体１２」は「当接手段５０」を備えているため、当該当接手段５０が前記「受具Ａ」の側壁に形成された押圧面を押圧することとなり、受具Ａと受具Ｂとの連結角度を０度に近づけることが可能となる。
【００２３】
そのため、前記受具Ａの係止部と連結体１２の係合部３０との摩擦を低減させることとなるため、受具Ａと、受具Ｂに固定された連結体１１，１２とのスライドを、スムースに行うことを可能とするとともに、強固且つ確実に連結することが可能となるのである。
【００２４】
また、この請求項３の発明に係る受具の連結具１００によれば、前記受具を施工現場において切断した際にも、当該受具どうしを連結するために穴あけ加工を行う必要がなく、施工現場において任意の寸法に切断することができ、ひいては受具施工の自由度を向上させることが可能となるのである。
【００２５】
請求項４に記載に係る本発明は、連結部材２０は、ネジ又はボルトと、当該ネジ又はボルトと螺合される袋ナット６０とを用いて第一及び第二の各連結体１１，１２の少なくとも一方に取り付けられるものであり、前記ネジ又はボルトの長さは、袋ナット６０の内頂部に当接することで締め付け量が制限され、両連結体をスライド可能に連結することを特徴とする請求項３に記載の受具の連結具１００である。
【００２６】
即ち、この請求項４に係る発明は、連結部材２０と少なくとも一方の連結体との接続につき、これら部材の一方からネジ又はボルトを貫通させ、前記ネジ又はボルトの先端から袋ナット６０を螺合させることにより固定するのである。
【００２７】
このように、連結体及び連結部材２０を、前記ネジ又はボルトを袋ナット６０で螺合させることにより固定するため、これらの螺合が進むことによって、前記袋ナット６０の内頂部においてネジ又はボルトの先端が当接することとなる。従って、袋ナット６０の内頂部にネジ又はボルトの先端が当接した後は、それ以上に螺合が進行しないこととなる。即ち、袋ナット６０の内頂部がネジ又はボルトの先端に当設することによって、袋ナット６０の締め込み量が制限され、「ナットの締め込み過ぎ」が防止されることとなる。
【００２８】
そのため、連結体及び連結部材２０の間において、一定以上には押圧されないため、連結体上での連結部材２０による摺動が可能となり、ひいては、受具どうしをスライド自在に連結することが可能となるのである。
【００２９】
請求項５に記載に係る発明は、二つの受具と、当該両受具にそれぞれ別個に固定される第一及び第二の各連結体１１，１２と、当該両連結体１１，１２を相対的にスライド可能に連結する連結部材２０とを使用する受具の連結方法であって、前記受具には、その側壁外面に第一及び第二の各連結体１１，１２を固定するための係止部と押圧面とを設け、前記第一及び第二の各連結体１１，１２には、連結される二つの受具側壁の前記各係止部に係合する係合部３０と、当該係合部３０の係止部への係合により受具の側壁に対し固定されるように、先端が前記押圧面を押圧するネジ４１が螺通される螺孔４０とを設け、前記二つの受具を、それぞれ別個に第一及び第二の各連結体１１，１２と固定して、前記一方の連結体には、該一方の連結体が固定された一方の側壁と、他方の連結体が固定された他方の側壁とが、常に整合された状態で前記スライドが可能となるように、該他方の側壁外面に当接する当接手段５０を設け、前記連結部材２０によって、前記二つの受具に固定された両連結体同士が該受具の膨張・収縮に伴って相対的にスライド可能に両連結体を連結することを特徴とする受具の連結方法である。
【００３０】
即ち、この請求項５に係る発明の受具の連結方法によれば、「一方の受具に固定された連結体１２」と「他方の受具Ａ」とのスライドをスムースに行うことが可能とするとともに、受具Ａ，Ｂどうしを強固且つ確実に連結することが可能となるのである。
【００３１】
【発明の実施の形態】
本発明を具体化した受具の連結具１００、受具の連結構造及び受具の連結方法について以下、図１から図６に従って説明する。
【００３２】
本実施例の配線・配管材用受具は、軟鉄、アルミニウム、アルミニウム合金などの導電性金属から、長尺板状に形成されている。この配線・配管材用受具は図２において二点鎖線で示すように、その上端部は、受具の長手方向全長にわたって内方へ短く延設されたフランジを備え、一方、下端部は、受具の長手方向全長にわたって内方へ延設された受部を備えている。
【００３３】
前記配線・配管材用受具の上方部分には、前記側壁の全長にわたって長手方向に延びるように形成されたカギ型の突条からなる上下一対の係止部（上から順に第一の係止部、第二の係止部）が形成されている。
【００３４】
前記第一の係止部と第二の係止部の間には、側壁を長手方向にわたって窪ませた押圧面が形成されている。
【００３５】
そして、前記配線・配管材用受具の下端部には、前記側壁の全長にわたって長手方向に延びるように形成された突条からなる、さらに別の係止部（第３の係止部）が形成されている。
【００３６】
なお、前記配線・配管材用受具は、その上端部近傍（前記フランジの下方）の内方において、側壁の全長にわたって長手方向に連続して延びる溝が形成されている。この溝は、側壁の内面側方に向かって開口するように設けられており、配線配管材を布設するために用いてもよい。即ち、出願人が特公平０７−３４６１３において提案する技術を用いることにより、前記「溝」を「シューター」とし、当該シューター内に「シャトル」を挿通させることにより、配線・配管を布設するものとしてもよい。このように構成することにより、配線・配管材を受具に対して容易に布設することが可能となるのである。
【００３７】
次に、本発明の配線・配管材用受具同士を連結するための連結具１００について説明する。本発明の配線・配管材用受具同士を連結するための連結具１００は、配線・配管材用受具の端部にネジにて取り付けられるようになっている。
【００３８】
この連結具１００は、鉄、アルミニウム、アルミニウム合金などの導電性金属から構成され、前記受具同士を相互に物理構造的に連結するとともに、電気的にも受具同士を互いに接続する導通部材として構成されている。前記連結具１００は、長手方向に連続する二つの受具の端部において、図２に示すように、第一の係止部、第二の係止部及び第３の係止部を利用し、さらに「押圧ネジ４１」を押圧面方向へねじ込むことで、受具Ａ，Ｂに嵌め込むようにして固定されるようになっている。
【００３９】
この連結具１００は、図２，３又は図５に示すように、ボルト６１挿通孔及び長孔を形成した連結部材２０と、左右一対の板状金具からなる第一及び第二の各連結体１１，１２から構成されている。前記連結部材２０と第一の連結体１１とは、当該長孔に遊挿されたボルト６１と、ボルト６１に装着された袋ナット６０とを用いて互いに連結されている。一方、前記連結部材２０と第二の連結体１２とは、当該ボルト挿通孔に挿通されたボルト６１と、ボルト６１に装着されたナットとを用いて互いに連結されている。
【００４０】
この連結具１００は、前記両受具が周囲の温度変化によって長手方向に伸縮した場合に、両受具Ａ，Ｂ間の隙間の変動を吸収できるようになっている。即ち、前記ボルト６１は、袋ナット６０の内頂部に端部が当接することで、締め付け量が制限され、連結部材２０と連結体とを移動不能に締め付けることなく、緩やかに連結しており、受具同士の間隔の変化を吸収できるようになっている。
【００４１】
前記第一及び第二の各連結体１１，１２は、さらに詳細には、連結される二つの受具側壁の前記各係止部に係合する係合部３０と、前記係合部３０の係止部への係合により該側壁に対し固定されるように、先端が前記押圧面を押圧する押圧ネジ４１が螺通される螺孔４０と、を備えている。
【００４２】
そして、これらの第一及び第二の各連結体１１，１２がそれぞれ個別に前記二つの受具に固定されるようになっている。
【００４３】
そして、前記一方の連結体１２には、該一方の連結体１２が固定された一方受具Ａに係る側壁と、他方の連結体１１が固定された他方の受具Ａに係る側壁とが、常に正しく整合された状態で、スライドさせることが可能となるように、他方受具Ｂの側壁外面に当接する当接手段５０を備えている。
【００４４】
本実施例において当接手段５０は、受具側壁を押圧することなく受具側壁に当接する長さのビス５１から構成されている。即ち、このビス５１は、前記「押圧ネジ４１」とは異なり、短く構成されているため、受具の側壁に強く当接することはなく、温度変化による膨張・収縮によって生じる受具のスライド移動を可能とするのである。
【００４５】
上記のように構成された二つの受具と、当該両受具にそれぞれ別個に固定される第一及び第二の各連結体１１，１２と、当該両連結体を相対的にスライド可能に連結する連結部材２０とを使用する受具の連結方法について、以下、説明する。
【００４６】
まず、長尺状の受具の端部同士を整合させて、二つの受具が直線状となるように配置し、これらの二つの受具を、それぞれの端面が一方の前記連結体の内側において接合させる。この場合、受具の取り付けられている周囲の温度状況、即ち、受具の熱による膨張・収縮状態に応じ、三角の表示と目盛りの位置を二つの受具の端部に合わせるようにする。例えば、受具が膨張している状態（夏のように受具が最も膨張して伸張している）では、一方の受具の端部を三角の表示に合わせ、他方の受具の端部をその直近の位置に合わせる。
【００４７】
一方、受具が収縮している状態の場合には、収縮の程度に応じて一方の受具の端部を三角の表示に合わせ、他方の受具の端部をそこから離れた目盛りの位置に合わせる。そして、受具が最も収縮している場合には、一方の受具の端部を三角の表示に合わせ、他方の受具の端部をそこから最も離れた目盛りの位置に合わせる。
【００４８】
次に、各連結体に形成された螺孔４０に押圧ネジ４１を螺入させ、当該押圧ネジ４１の先端によって各々の受具に係る押圧面を「押圧」又は「螺着」させる。
【００４９】
一方の連結体には、その内側において二つの受具が接合されており、当該連結体には、前記押圧ネジ４１を螺挿するための螺孔４０の他に、当接手段５０である「ビス５１」を螺挿するための螺孔５２を形成している。この螺孔５２にビス５１を螺入させ、前記受具の押圧面に当接させる。このビス５１は、二つの受具の連結角度を整合するために、一方の受具の押圧面に当接するのみである。そのため、前記「押圧ネジ４１」のように、連結体を固定すべく受具の押圧面に対し強く押圧ものとは異なるものである。
【００５０】
上記の連結方法によって、前記一方の連結体には、該一方の連結体が固定された一方の側壁と、他方の連結体が固定された他方の側壁とが、常に正しく整合された状態で前記スライドが可能となる。
【００５１】
前記連結部材２０によって、前記二つの受具に固定された両連結体同士が該受具の膨張・収縮に伴って相対的にスライド可能に両連結体を連結する。
【００５２】
本発明は、上記実施例に限定されるものではなく、次述の如く実施してもよい。例えば「当接手段５０」については、一方の連結体の内側にスプリング等の付勢手段を配設することにより構成してもよい。また、一方の連結体に表示された「目盛り」に代えて、「春，夏，秋，冬」などの文字或いは図形にて表示するものとしてもよい。
【００５３】
さらに、本発明は、本発明の趣旨を逸脱しない範囲で構成を変更してもよい。即ち、本発明に係る連結具１００が用いられる受具の形状に即して、形状、材質、大きさ、取付位置、取付方法などを適宜変更して実施してもよいのである。
【００５４】
【発明の効果】
以上詳述したように、請求項１に記載に係る発明は、二つの受具と、当該両受具にそれぞれ別個に固定される第一及び第二の各連結体と、両連結体を連結する連結部材とからなる受具の連結構造であって、前記受具は、その側壁外面に第一及び第二の各連結体を固定するための係止部と押圧面とを備え、前記第一及び第二の各連結体は、連結される二つの受具側壁の前記各係止部に係合する係合部と、当該係合部の係止部への係合により受具の側壁に対し固定されるように、先端が前記押圧面を押圧するネジが螺通される螺孔とを備え、前記連結部材は、前記二つの受具に固定された両連結体同士が該受具の「膨張」又は「収縮」に伴って相対的にスライド可能に両連結体を連結するものであり、一方の連結体には、該一方の連結体が固定された一方の受具の側壁と、他方の連結体が固定された他方の受具の側壁とが整合された状態で前記スライドが可能となるように、該他方の受具の側壁外面に当接する当接手段を備えていることを、その構成上の特徴とするものである。そしてこの請求項１に係る発明の受具の連結構造によれば、前記受具Ａの係止部と連結体の係合部との摩擦を低減させることとなるため、「一方の受具Ｂに固定された連結体」と「他方の受具Ａ」とのスライドをスムースに行うことが可能とするとともに、二つの受具どうしを強固且つ確実に連結することが可能となるという効果を奏するものである。
【００５５】
請求項２に記載に係る発明は、請求項１に記載の受具の連結構造において、前記の「当接手段」は、一方の連結体の内側に配設されたスプリング等の付勢手段、又は、受具側壁を押圧することなく受具側壁に当接する長さのビスから構成されていることを、その構成上の特徴とするものである。そしてこの請求項２に係る発明の受具の連結構造によれば、簡易な構造にも拘わらず、請求項２における「受具Ａの係止部と連結体の係合部との摩擦」を、さらに確実に低減させることを可能とするという効果を奏する。
【００５６】
さらに、本発明においては、上記請求項１に記載の発明と同様に、受具Ａと、受具Ｂに固定された連結体とのスライドを、スムースに行うことを可能とするとともに、強固且つ確実に連結することが可能とするという効果を奏するのである。
【００５７】
請求項３に記載に係る発明は、受具に固定される第一及び第二の各連結体と、両連結体を連結する連結部材とからなる受具の連結具であって、前記受具は、その側壁外面に第一及び第二の各連結体を固定するための係止部と押圧面とを有するものであり、前記第一及び第二の各連結体は、連結される二つの受具の係止部に係合する係合部と、当該係合部の受具に対する係合状態を維持すべく、受具の押圧面を押圧するためのネジが螺通される螺孔と、を備え、前記連結部材は、前記二つの受具に固定された両連結体同士が該受具の膨張・収縮に伴って相対的にスライド可能に両連結体を連結するものであり、前記一方の連結体には、二つの受具の側壁同士が、整合された状態で前記スライドが可能となるように、受具の側壁外面に当接する当接手段を備えていることを、その構成上の特徴とするものである。そしてこの請求項３に係る発明の受具の連結具によれば、前記受具Ａの係止部と連結体の係合部との摩擦を低減させることとなるため、受具Ａと、受具Ｂに固定された連結体とのスライドを、スムースに行うことを可能とするとともに、強固且つ確実に連結することが可能とするという効果を奏する。
【００５８】
また、この請求項３の発明に係る受具の連結具によれば、前記受具を施工現場において切断した際にも、当該受具どうしを連結するために穴あけ加工を行う必要がなく、施工現場において任意の寸法に切断することができ、ひいては受具施工の自由度を向上させることが可能とするという効果を奏するのである。
【００５９】
請求項４に記載に係る本発明は、請求項３に記載の受具の連結具において、連結部材は、ネジ又はボルトと、当該ネジ又はボルトと螺合される袋ナットとを用いて第一及び第二の各連結体の少なくとも一方に取り付けられるものであり、前記ネジ又はボルトの長さは、袋ナットの内頂部に当接することで締め付け量が制限され、両連結体をスライド可能に連結することを、その構成上の特徴とするものである。そしてこの請求項４に係る発明の受具の連結具によれば、連結体及び連結部材の間において、一定以上には押圧されないため、連結体上での連結部材による摺動が可能となり、ひいては、受具どうしをスライド自在に連結することが可能とするという効果を奏するのである。
【００６０】
請求項５に記載に係る発明は、二つの受具と、当該両受具にそれぞれ別個に固定される第一及び第二の各連結体と、当該両連結体を相対的にスライド可能に連結する連結部材とを使用する受具の連結方法であって、前記受具には、その側壁外面に第一及び第二の各連結体を固定するための係止部と押圧面とを設け、前記第一及び第二の各連結体には、連結される二つの受具側壁の前記各係止部に係合する係合部と、当該係合部の係止部への係合により受具の側壁に対し固定されるように、先端が前記押圧面を押圧するネジが螺通される螺孔と、を設け、前記二つの受具を、それぞれ別個に第一及び第二の各連結体と固定して、前記一方の連結体には、該一方の連結体が固定された一方の側壁と、他方の連結体が固定された他方の側壁とが、常に整合された状態で前記スライドが可能となるように、該他方の側壁外面に当接する当接手段を設け、前記連結部材によって、前記二つの受具に固定された両連結体同士が該受具の膨張・収縮に伴って相対的にスライド可能に両連結体を連結することを、その構成上の特徴とするものである。そしてこの請求項５に係る発明の受具の連結具によれば、「一方の受具に固定された連結体」と「他方の受具」とのスライドをスムースに行うことが可能とするとともに、受具どうしを強固且つ確実に連結することが可能とするという効果を奏するのである。
【図面の簡単な説明】
【図１】本発明を具体化した連結具の斜視図である。
【図２】図１に示す連結具の断面図（図３に示す連結具のＡ−Ａ線断面図）である。
【図３】図１に示す連結具の使用状態を示す第一正面図である。
【図４】図３に示す状態の連結具を裏面から示した背面図である。
【図５】図１に示す連結具の使用状態を示す第二正面図である。
【図６】図５に示す状態の連結具を裏面から示した背面図である。
【図７】従来技術に係る連結具の構造を示す図である。
【図８】従来技術に係る連結具の使用状態を示す図である。
【符号の説明】
１１  第一の連結体
１２  第二の連結体
２０  連結部材
３０  係合部
４０  螺孔
４１  押圧ネジ
５０  当接手段
５１  ビス
５２  螺孔
６０  袋ナット
６１  ボルト
１００  連結具
Ａ  受具（Ａ）
Ｂ  受具（Ｂ）
【図１】
0003665856.tif 000002
【図２】
0003665856.tif 000003
【図３】
0003665856.tif 000004
【図４】
0003665856.tif 000005
【図５】
0003665856.tif 000006
【図６】
0003665856.tif 000007
【図７】
0003665856.tif 000008
【図８】
0003665856.tif 000009